(57)【要約】【課題】可動接点としてのドーム状金属板の良好な動作特性を得ることができる小形、薄形で高寿命、高接触信頼性の１段動作タイプ及び２段動作タイプの横押し型プッシュスイッチを提供する。【解決手段】押しボタン１０の移動方向の操作力をドーム状金属板６，７の動作方向に変換する樹脂の傾斜部１１と、この傾斜部１１をドーム状金属板６，７の動作方向に移動させる可撓性を持った金属のヒンジ部１２と、ドーム状金属板を押し下げる樹脂の押圧部１３と、を有する押し子１４を備える。【選択図】  図２
2008059962.tif 000002
【特許請求の範囲】
【請求項１】
押しボタンの操作部が側部より突出すると共に、可動接点にばね性を持ったドーム状金属板を用い、前記操作部の押圧操作に伴う前記押しボタンの移動方向の操作力を前記押しボタンの移動方向とは垂直方向のドーム状金属板の動作方向に変換する横押し型プッシュスイッチであって、前記押しボタンの移動方向の操作力を前記ドーム状金属板の動作方向に変換する傾斜部と、この傾斜部を前記ドーム状金属板の動作方向に移動させる可撓性を持ったヒンジ部と、前記ドーム状金属板を押し下げる押圧部と、を有する押し子を備えたことを特徴とする横押し型プッシュスイッチ。
【請求項２】
前記押し子の押圧部が樹脂で成形され、ヒンジ部が金属板バネで形成されている請求項１に記載の横押し型プッシュスイッチ。
【請求項３】
前記押し子自体に傾斜部より緩傾斜の傾斜を持たせている請求項１又は２に記載の横押し型プッシュスイッチ。
【請求項４】
前記押し子は前記押しボタンの押し込みストローク終端で前記ドーム状金属板の設置面と略平行になる請求項３に記載の横押し型プッシュスイッチ。
【請求項５】
前記ドーム状金属板をその動作方向に２段で設置したことを特徴とする請求項１乃至４の何れか１の横押し型プッシュスイッチ。
【発明の詳細な説明】
【技術分野】
【０００１】
本発明は、例えば携帯電話機や携帯オーディオプレーヤ等の側面操作用の操作スイッチとして用いられる小形・薄形の横押し型プッシュスイッチに関する。
【背景技術】
【０００２】
この種の横押し型プッシュスイッチでは、その小形、薄形を実現するために基板への実装を面実装で行い、可動接点にばね性を持ったドーム状金属板を用いるものが多く、横方向の操作力をその操作方向とは垂直方向に変換してドーム状金属板に伝達し、そのドーム状金属板を押し下げて動作させるようになっている。
【０００３】
このような従来の横押し型プッシュスイッチとしては、特許文献１で示すものが知られており、１枚のドーム状金属板がハウジングの内底面に設置され、押しボタンはハウジングに支持され、ハウジングの側部より突出した操作部の押圧操作に伴いドーム状金属板の動作方向とは垂直方向に案内されて移動する。そして、押しボタンに操作部と一直線上で一体に形成する可撓性を持ったヒンジ部と、ハウジングに取り付くカバーに一体に形成し押しボタンの移動方向の操作力をドーム状金属板の動作方向に変換する傾斜部と、を備え、ヒンジ部の先端が傾斜部上で摺動することで、操作部の押圧操作に伴う押しボタンの移動方向の操作力を押しボタンの移動方向とは垂直方向のドーム状金属板の動作方向に変換している。
【特許文献１】特開２００５−１２２９８９号公報
【発明の開示】
【発明が解決しようとする課題】
【０００４】
上記のように従来の横押し型プッシュスイッチは、横方向の操作力をその操作方向とは垂直方向のドーム状金属板の動作方向に変換する部品（傾斜部）と、その部品をドーム状金属板の動作方向に移動させる部品（ヒンジ部）と、を別体に備えているので、操作力をそのままドーム状金属板に伝達し得ず、それに加えて、ドーム状金属板の略中心部を精度よく押圧し得ないため、ドーム状金属板の良好な動作特性を得ることが難しい。
【０００５】
また、押しボタンに一体に形成されたヒンジ部の先端でドーム状金属板を押し下げるので、ヒンジ部には絶縁性が求められ、導電性の金属は使用できず、耐久性に欠ける面があると共に、特性が実装時の熱で変化（劣化）しバラツキを生じ易い。
【０００６】
また、ヒンジ部は略水平姿勢から撓んで弾性変形しながら下方向に押し下げられて、ドーム状金属板を押し下げ、最終的にドーム状金属板をその設置面に対して傾いた傾斜姿勢でドーム状金属板の動作状態を保持するため、接触信頼性に欠ける面がある。
【０００７】
ところで、携帯電話機や携帯オーディオプレーヤ等の小形、薄形化に加え、その多機能化が進む中で、従来の横押し型プッシュスイッチは、１枚のドーム状金属板を用い、１段階で１種類のスイッチ回路を開閉操作する１段動作タイプであるため、２枚のドーム状金属板をその動作方向に２段で備え、２段階で２種類のスイッチ回路を開閉操作する２段動作タイプの横押し型プッシュスイッチが強く求められている。
【０００８】
しかしながら、２段動作タイプの場合、１段動作タイプよりヒンジ部の動作ストローク（ドーム状金属板の押し下げストローク）が長くなるため、上記のような問題が顕著に現れる。それに加えて、ヒンジ部の動作ストロークを長くするためには、傾斜部を大きくする必要があり、そのことが製品の厚みを厚くするという致命的な問題を生じる。
【０００９】
本発明は、上記のような問題に鑑みてなされたもので、その第１の目的は、ドーム状金属板の良好な動作特性を得ることができる小形、薄形で高寿命、高接触信頼性の横押し型プッシュスイッチを提供することにある。
【００１０】
また、第２の目的は、ドーム状金属板の良好な動作特性を得ることができる小形、薄形で高寿命、高接触信頼性の２段動作タイプの横押し型プッシュスイッチを提供することにある。
【課題を解決するための手段】
【００１１】
上記の第１の目的を達成するために本発明の横押し型プッシュスイッチは、押しボタンの操作部が側部より突出すると共に、可動接点にばね性を持ったドーム状金属板を用い、前記操作部の押圧操作に伴う前記押しボタンの移動方向の操作力を前記押しボタンの移動方向とは垂直方向のドーム状金属板の動作方向に変換する横押し型プッシュスイッチであって、前記押しボタンの移動方向の操作力を前記ドーム状金属板の動作方向に変換する傾斜部と、この傾斜部を前記ドーム状金属板の動作方向に移動させる可撓性を持ったヒンジ部と、前記ドーム状金属板を押し下げる押圧部と、を有する押し子を備えたことを特徴とするもので、この構成を採用することにより、操作力をそのままドーム状金属板に伝達し、ドーム状金属板の略中心部を精度よく押圧し、ドーム状金属板の良好な動作特性を得ると共に、ヒンジ部の金属化を可能にし、ヒンジ部の耐久性の向上及び特性の安定化を図る。
【００１２】
また、前記押し子の押圧部が樹脂で成形され、ヒンジ部が金属板バネで形成されている構成を付加することにより、ヒンジ部の金属化による耐久性の向上及び特性の安定化を実現する。
【００１３】
また、前記押し子自体に前記傾斜部より緩傾斜の傾斜を持たせている構成を付加することにより、１段動作タイプでは傾斜部を小さくしながら、押し子に必要な動作ストロークを得られるようにし、一方、２段動作タイプでは傾斜部を大きくすることなく、押し子の動作ストロークを長くできるようにする。
【００１４】
また、前記押し子は前記押しボタンの押し込みストローク終端で前記ドーム状金属板の設置面と略平行になる構成を付加することにより、押し子がドーム状金属板の動作状態をその設置面に対して略平行になる姿勢で保持し、高い接触信頼性を得る。
【００１５】
上記の第２の目的を達成するために本発明の横押し型プッシュスイッチは、上記の第１の目的を達成するための本発明の横押し型プッシュスイッチに、前記ドーム状金属板をその動作方向に２段で設置したことを特徴とするもので、製品の厚みを厚くすることなく、２段動作タイプの横押し型プッシュスイッチを得る。
【発明の効果】
【００１６】
以上のように本発明の横押し型プッシュスイッチによれは、ドーム状金属板の良好な動作特性を得ることができる小形、薄形で高寿命、高接触信頼性の横押し型プッシュスイッチを提供することができる。
【００１７】
また、ドーム状金属板の良好な動作特性を得ることができる小形、薄形で高寿命、高接触信頼性の２段動作タイプの横押し型プッシュスイッチを提供することができる。
【発明を実施するための最良の形態】
【００１８】
以下、本発明の一実施の形態を図面に基づいて説明する。図１は本発明の一実施の形態による横押し型プッシュスイッチの平面図、図２は本発明の一実施の形態による横押し型プッシュスイッチの断面図、図３は本発明の一実施の形態による横押し型プッシュスイッチの組み立て図である。
【００１９】
図１〜図３に示すように、本発明の一実施の形態による横押し型プッシュスイッチ１は、２段階で２種類のスイッチ回路を開閉操作する２段動作タイプである。インサート成形等により第１，第２，第３の３つの固定接点端子２，３，４と一体に形成された合成樹脂製で絶縁性を持ったハウジング５と、第１，第２の２つの可動接点として用いる第１，第２の２枚のばね性を持ったドーム状金属板６，７と、固定ストッパ８を一体に形成した合成樹脂製で絶縁性を持ったガイド体９と、横方向から押圧操作される合成樹脂製で絶縁性を持った押しボタン１０と、押しボタン１０の移動方向の操作力をドーム状金属板６，７の動作方向に変換する傾斜部１１及びこの傾斜部１１をドーム状金属板６，７の動作方向に移動させる可撓性を持ったヒンジ部１２及びドーム状金属板６，７を押し下げる押圧部１３を有する押し子１４と、スイッチケースをハウジング５とで形成するカバー１５とから構成される。
【００２０】
ハウジング５は、上面開口状の箱型に形成され、その内底面に段付き凹部５ａが形成され、この段付き凹部５ａの外周段差面に第１固定接点端子２の一部が略面一に露出されて第１固定接点としてのコモン接点２ａが形成され、また段付き凹部５ａの底面外側部に第２固定接点端子３の一部が略面一に露出されて第２固定接点としての第１選択接点３ａが形成され、さらに段付き凹部５ａの底面中心部に第３固定接点端子４の一部が略面一に露出されて第３固定接点としての第２選択接点４ａが形成される。
【００２１】
各固定接点端子２，３，４は、導電性の金属薄板を打ち抜き及び曲げ加工して形成され、各固定接点端子２，３，４の一端部がハウジング５の外部に取り出され、横押し型プッシュスイッチ１の面実装用に図示しない外部接続端子を形成する。この外部接続端子は図示しないプリント回路基板に半田付けで固定、接続される。
【００２２】
また、ハウジング５の４側壁のうちの１つの側壁（左側壁）の中央上部には、押しボタン突出用に凹状の切り欠き５ｂが形成される。さらに、ハウジング５の上面側の４隅には、カバー位置決め用に上方へ突出する突起５ｃが形成されると共に、ハウジング５の４側壁には、カバー固定用の係合爪５ｄと係合溝５ｅが形成される。係合爪５ｄは切り欠き５ｂを形成した側壁の両端上部とその側壁に対向する側壁外面の中央上部とに外方へ突出して形成され、係合溝５ｅは残りの対向する２つの側壁の外面中央部に形成される。係合溝５ｅの下端部はハウジング５の外底面に沿って内側に屈曲形成される。ハウジング５の外底面には、図示しないプリント回路基板に対する位置決め用に突起５ｆが形成される。
【００２３】
第１，第２のドーム状金属板６，７は、導電性の金属薄板（ばね用金属材料）からなり、第１ドーム状金属板６が段付き凹部５ａの外周部段差面に支持され、第２ドーム状金属板７が段付き凹部５ａの底面に支持され、これら２枚の第１，第２のドーム状金属板６，７がハウジング５の段付き凹部５ａ内に上下２段に設置される。第１ドーム状金属板６はその外側部がコモン接点２ａと常時接触している。第２ドーム状金属板７はその外側部が第１選択接点３ａと常時接触し、第２ドーム状金属板７の中心部が第２選択接点４ａと対向している。
【００２４】
図４の（Ａ）は組み立て状態のガイド体と押し子の平面図、（Ｂ）は（Ａ）のＡ−Ａ線断面図、図５の（Ａ）は組み立て状態の押しボタンとガイド体と押し子の平面図、（Ｂ）は（Ａ）の底面図、（Ｃ）は（Ａ）のＡ−Ａ線断面図である。
【００２５】
図１〜図５に示すように、ガイド体９は、平面視略コ字状に形成されたベース板部９ａと、このベース板部９ａの両端辺部の外側縁から立ち上げたガイド壁部９ｂとを一体に形し、ベース板部９ａの中間辺部外側面がハウジング５の切り欠き５ｂを形成した側壁下部内面と接触し、ベース板部９ａの両端辺部外側面とガイド壁部９ｂの外側面がハウジング５の切り欠き５ｂを形成した側壁に隣接する２つの側壁内面と接触し、ベース板部９ａの両端辺部端面がハウジング５の切り欠き５ｂを形成した側壁と対向する側壁内面と接触した状態で、第１ドーム状金属板６を覆わないようにハウジング５の段付き凹部５ａの周囲にある内底面の上に配置され、ガイド壁部９ｂの上側面をカバー１５で押えて固定される。
【００２６】
また、各ガイド壁部９ｂの中央上部には、押しボタン１０の押し込みストロークを決める凹状の切り欠き９ｃが形成され、この各切り欠き９ｃの一側（右側）の側端面が押しボタン１０の過剰な押し込みストローク（オーバーストローク）を規制する固定ストッパ８になっている。
【００２７】
押しボタン１０は、平面視コ字状に形成された基板部１０ａと、この基板部１０ａの中間辺部中央外側面から突出した操作部１０ｂと、基板部１０ａの中間辺部両端外側面でなる肩部１０ｃとを一体に形成し、操作部１０ｂがハウジング５の切り欠き５ｂから外方へ突出すると共に、肩部１０ｃがハウジング５の切り欠き５ｂを形成した側壁の切り欠き５ｂの両側にある内面と対向し、基板部１０ａの下面がガイド体９のベース板部９ａの上面と接触し、基板部１０ａの両端辺部外側面がガイド体９のガイド壁部９ｂの内面と接触した状態で、ガイド体９によって支持され、基板部１０ａの上面をカバー１５で摺動自在に押えて、操作部１０ｂの押圧操作方向に沿って移動案内される。
【００２８】
また、基板部１０ａの内側には下側から押し子１４の傾斜部１１が突出し、この傾斜部１１と対向する基板部１０ａの中間辺部中央内側面が、傾斜部１１に接触して摺動しながら押し子１４を押し下げる押し子押し下げ部１０ｄになっている。
【００２９】
さらに、基板部１０ａの両端辺部外側面には、外方へ突出してガイド体９のガイド壁部９ｂに形成された切り欠き９ｃに嵌り込む可動ストッパ１０ｅが一体に形成される。この可動ストッパ１０ｅは、操作部１０ｂの押圧操作に伴う押しボタン１０の押し込み時に切り欠き９ｃ内で移動し、押しボタン１０の押し込みストローク終端で、切り欠き９ｃの一側（右側）の側端面でなる固定ストッパ８で受け止められて、押しボタン１０の過剰な押し込みストローク（オーバーストローク）を規制する。
【００３０】
押し子１４の傾斜部１１と押圧部１３は、絶縁性の合成樹脂で一体に形成され、押し子１４のヒンジ部１２は、金属板バネで形成されている。傾斜部１１は、側面が三角形で、底面が矩形となるように、横に倒した三角柱状のものである。押圧部１３は、傾斜部１１の平坦な矩形底面から下方に突出する半球状のものである。押圧部１３の基端部外周面には、リング状の溝１３ａが形成されている。ヒンジ部１２は、その固定端部から両側にコ字状の係止部１２ａが突出されて平面視略Ｔ字に形成され、自由端側に円形の取り付け孔１２ｂが開口形成されている。また、ヒンジ部１２の固定端部は水平に形成されるのに対し、その水平な固定端部から先はＺ曲げされた曲げ部１２ｃを介して斜め上方に延出されて傾斜角度θを持っている。
【００３１】
押し子１４の組み立ては、傾斜部１１の平坦な矩形底面から下方に突出した半球状の押圧部１３を、ヒンジ部１２の自由端側に開口形成された取り付け孔１２ｂに上方から圧入して、ヒンジ部１２の下面側に突出させ、ヒンジ部１２の取り付け孔１２ｂの周辺部を、押圧部１３の基端部外周面に形成されたリング状の溝１３ａに嵌め込むことで、ヒンジ部１２の上面に傾斜部１１を上方に突出して取り付けると共に、ヒンジ部１２の自由端側下面に押圧部１３を下方に突出して取り付けて、完了する。なお、傾斜部１１の平坦な矩形底面とヒンジ部１２の上面とを接着剤により接着する等して、傾斜部１１及び押圧部１３の回り止めを行うことができる。
【００３２】
そして、押し子１４は、ヒンジ部１２の固定端部とその両側に突出されて形成されたコ字状の係止部１２ａが、ハウジング５の切り欠き５ｂを形成した側壁と段付き凹部５ａの間にある内底面と、その面と対向するガイド体９のベース板部９ａの中間辺部外底面との間に挟み込まれて固定されて、ヒンジ部１２が片持ちで支持される。これにより、傾斜部１１が、傾斜角度θを持ったヒンジ部１２によって、押しボタン１０の基板部１０ａの内側に配置され、傾斜部１１の頂部より一側にあり、押しボタン１０の押し込み方向に向かって上り傾斜となる傾斜面１１ａが、押しボタン１０の基板部１０ａの中間辺部中央内側面でなる押し子押し下げ部１０ｄと対向すると共に、押圧部１３が、第１ドーム状金属板６の上に配置され、押圧部１３の下端略中心部が、第１ドーム状金属板６の上面略中心部に当接している。また、傾斜部１１と押圧部１３が片持ち支持のヒンジ部１２によって第１ドーム状金属板６とカバー１５との間に上下に揺動自在に支持している。なお、ヒンジ部１２の固定端部とその両側に突出されて形成されたコ字状の係止部１２ａを挟み込む二面のうちの何れか一方の面、つまり、ハウジング５の切り欠き５ｂを形成した側壁と段付き凹部５ａの間にある内底面、或いは、ガイド体９のベース板部９ａの中間辺部外底面に、ヒンジ部１２の板厚分の深さを有し、ヒンジ部１２の固定端部とその両側に突出されて形成されたコ字状の係止部１２ａを埋め込む図示しない溝を形成することで、コ字状の係止部１２ａの内側にハウジング５或いはガイド体９の樹脂が嵌り込み、押し子１４の位置決めを行うことができる。この際、ヒンジ部１２とハウジング５及びガイド体９との接合面を接着剤により接着することもできる。
【００３３】
また、押し子１４には、それ自体に傾斜角度θを持ったヒンジ部１２によって、傾斜部１１の傾斜面１１ａより緩傾斜の傾斜角度θを持たせている。
【００３４】
図例では、傾斜部１１を樹脂の押圧部１４側に一体に形成した２ピース構造の押し子１４を示したが、金属板バネからなるヒンジ部１２側に傾斜部１１を一体に形成した２ピース構造の押し子、或いは、傾斜部１１を単品構造で有する３ピース構造の押し子としてもよい。この際、２ピース構造の方が３ピース構造より生産性が高く、コスト面でも有利である。また、これら２ピース或いは３ピース構造の押し子は、インサート成型によって形成することもできる。
【００３５】
カバー１５は、導電性の金属板を打ち抜き及び曲げ加工して形成され、ハウジング５の上面を覆う平板状の上側板１５ａと、この上側板１５ａの４隅に形成され、ハウジング５の突起５ｃと嵌合するカバー位置決め用の切り欠き１５ｂと、上側板１５ａの対向する２側縁から下向きに延出され、下端部をハウジング５の係合爪５ｄに下側から係止させてカバー１５を固定する第１係止部１５ｃと、上側板１５ａの残りの対向する２側縁から下向きに延出され、ハウジング５の係合溝５ｅに嵌合した状態で、下端部をハウジング５の外底面に下側から係止させてカバー１５を固定する第２係止部１５ｄとを備える。
【００３６】
図３に示すように、本発明の一実施の形態による横押し型プッシュスイッチ１の組み立ては、ハウジング５の段付き凹部５ａに第１，第２ドーム状金属板６，７を上下２段で設置した後、ハウジング５の切り欠き５ｂを形成した側壁と段付き凹部５ａの間にある内底面の上に、押し子１４のヒンジ部１２の固定端部とその両側に突出されて形成されたコ字状の係止部１２ａを載せ、ハウジング５の段付き凹部５ａの周囲にある内底面の上に固定ストッパ８を一体に形成したガイド体９を配置し、ハウジング５の切り欠き５ｂに押しボタン１０の操作部１０ｂを嵌合すると共に、ガイド体９の切り欠き９ｃに押しボタン１０の可動ストッパ１０ｅを嵌合しながら、押しボタン１０の基板部１０ａをガイド体９のベース板部９ａの上に重ねて配置し、最後に、カバー１５を上方からハウジング５に嵌着して位置決め及び係止させることにより完了する。
【００３７】
図６は本発明の一実施の形態による横押し型プッシュスイッチの１段目のスイッチ動作後（第１ドーム状金属板動作後）の状態を示す断面図、図７は同横押し型プッシュスイッチの２段目のスイッチ動作後（第２ドーム状金属板動作後）の状態を示す断面図である。図２及び図６，図７に基づいて本発明の一実施の形態による横押し型プッシュスイッチの動作を説明する。
【００３８】
図２は横押し型プッシュスイッチ１の動作前の状態を示し、押しボタン１０を操作しない動作前の状態では、押しボタン１０は、肩部１０ｃがハウジング５の切り欠き５ｂを形成した側壁の切り欠き５ｂの両側にある内面に当接すると共に、可動ストッパ１０ｅがガイド体９のガイド壁部９ｂに形成された切り欠き９ｃ内の左端部に位置し、押し子押し下げ部１０ｄが押し子１４の傾斜部１１の傾斜面１１ａを押圧しない位置に保持されるので、押し子１４は、そのヒンジ部１２に殆ど弾性変形を受けずに略自由状態の傾斜姿勢で保持される。
【００３９】
また、第１ドーム状金属板６と第２ドーム状金属板７とは、それぞれ上向きに膨らんだ状態で離間すると共に、第２ドーム状金属板７は第２選択接点４ａと離間している。ここで、押し子１４の押圧部１３は、第１ドーム状金属板６の上面略中心部で上方向へ押される。これに伴い、押し子１４がその自由状態の傾斜角度θよりややきつい傾斜角度の傾斜姿勢に保持され、押圧部１３の下端略中心部と第１ドーム状金属板６の上面略中心部とが接触保持される。
【００４０】
この状態から、押しボタン１０の操作部１０ｂを図２の右方向へ押圧すると、図６に示すように、押し子押し下げ部１０ｄが右方向に移動して押し子１４の傾斜部１１の傾斜面１１ａに接触して右方向に押圧すると共に、傾斜部１１の傾斜面１１ａで摺動する。これに伴い、押し子１４はヒンジ部１２の曲げ部１２ｃで撓んで弾性変形しながら下方向に押し下げられるので、押圧部１３の下端略中心部が第１ドーム状金属板６の上面略中心部を押し下げ操作する。
【００４１】
これによって、第１ドーム状金属板６は下向きに反転動作して、下側の第２ドーム状金属板７と接触するため、コモン接点２ａと第１選択接点３ａが第１，第２ドーム状金属板６，７を通じて導通して１段目の第１スイッチがオンとなる。
【００４２】
この状態から、押しボタン１０の操作部１０ｂをさらに右方向へ押圧すると、図７に示すように、押し子押し下げ部１０ｄはさらに右方向に移動して押し子１４の傾斜部１１の傾斜面１１ａをさらに右方向に押圧すると共に、傾斜部１１の傾斜面１１ａでさらに摺動する。これに伴い、押し子１４はヒンジ部１２の曲げ部１２ｃでさらに撓んで弾性変形しながらさらに下方向に押し下げられるので、この押圧部１３が第１ドーム状金属板６を介して第２ドーム状金属板７の上面略中心部を押し下げ操作する。
【００４３】
これによって、第２ドーム状金属板７は下向きに反転動作して第２選択接点４ａと接触するため、コモン接点２ａと第２選択接点４ａが第１，第２ドーム状金属板６，７を通じて導通して２段目の第２スイッチが１段目の第１スイッチに続いてオンとなる。
【００４４】
この時、押しボタン１０の可動ストッパ１０ｅはガイド体９のガイド壁部９ｂに形成された切り欠き９ｃ内の右端部に移動し、ガイド体９の固定ストッパ８で受け止められ、操作部１０ｂの押圧操作に伴う押しボタン１０の押し込み規制すると共に、第１，第２ドーム状金属板６，７の過剰な押し下げを招く押しボタン１０の過剰な押し込みストローク（オーバーストローク）を制限する。これに伴い、押し子１４が第１，第２ドーム状金属板６，７の動作状態をその設置面に対して略平行になる略水平姿勢で保持する。なお、操作部１０ｂが押圧操作されて第２ドーム状金属板７と第２選択接点４ａが接触している間は第１，第２スイッチのオン状態を保つ。
【００４５】
この状態から、操作部１０ｂの押圧操作力を除くと、ヒンジ部１２の弾性復帰力によって押し子１４が図２のスイッチ動作前の状態に復帰すると共に、押しボタン１０も図２のスイッチ動作前の状態に復帰する。この時、押し子１４の復帰に伴い、第１，第２ドーム状金属板６，７がそのばね力によりそれぞれ上向きに反転動作し、第２ドーム状金属板７が第２選択接点４ａより離間して第２スイッチがオフとなり、続いて第１ドーム状金属板６が第２ドーム状金属板７と離間して第１スイッチがオフとなる。
【００４６】
上記のように、本発明の一実施の形態による横押し型プッシュスイッチ１は、押しボタン１０の操作部１０ｂが側部より突出すると共に、可動接点にばね性を持ったドーム状金属板６，７を用い、前記操作部１０ｂの押圧操作に伴う前記押しボタン１０の移動方向の操作力を前記押しボタン１０の移動方向とは垂直方向のドーム状金属板６，７の動作方向に変換する横押し型プッシュスイッチであって、前記押しボタン１０の移動方向の操作力を前記ドーム状金属板６，７の動作方向に変換する傾斜部１１と、この傾斜部１１を前記ドーム状金属板６，７の動作方向に移動させる可撓性を持ったヒンジ部１２と、前記ドーム状金属板６，７を押し下げる押圧部１３と、を有する押し子１４を備えたことにより、操作力をそのままドーム状金属板６，７に伝達でき、それに加えて、ドーム状金属板６，７の略中心部を精度よく押圧できるので、ドーム状金属板６，７の良好な動作特性を得ることができると共に、ヒンジ部１２の金属化を可能にし、ヒンジ部１２の耐久性の向上及び特性の安定化を図ることができる。
【００４７】
また、前記押し子１４の押圧部１３が樹脂で成形され、ヒンジ部１２が金属板バネで形成されていることにより、ヒンジ部１２の金属化による耐久性の向上及び特性の安定化を実現することができる。
【００４８】
また、前記押し子１４自体に前記傾斜部１１の傾斜面１１ａより緩傾斜の傾斜角度θを持たせていることにより、１段動作タイプでは傾斜部１１を小さくしながら、押し子１４に必要な動作ストロークを得られるようにし、一方、２段動作タイプでは傾斜部１１を大きくすることなく、押し子１４の動作ストロークを長くすることができる。
【００４９】
また、前記押し子１４は前記押しボタン１０の押し込みストローク終端で前記ドーム状金属板６，７の設置面と略平行になることにより、押し子１４がドーム状金属板６，７の動作状態をその設置面に対して略平行になる姿勢で保持できるので、高い接触信頼性を得ることができる。
【００５０】
さらに、本発明の一実施の形態による横押し型プッシュスイッチ１は、前記ドーム状金属板６，７をその動作方向に２段で設置したことこより、製品の厚みを厚くすることなく、２段動作タイプの横押し型プッシュスイッチを得ることができる。
【００５１】
よって、ドーム状金属板６，７の良好な動作特性を得ることができる小形、薄形で高寿命、高接触信頼性の横押し型プッシュスイッチを提供することができる。またドーム状金属板６，７の良好な動作特性を得ることができる小形、薄形で高寿命、高接触信頼性の２段動作タイプの横押し型プッシュスイッチを提供することができる。
【００５２】
以上、本実施の形態は本発明の好適な一実施の形態を示したが、本発明はそれに限定されることなく、その要旨を逸脱しない範囲内で種々変形実施することができるものである。
【図面の簡単な説明】
【００５３】
【図１】本発明の一実施の形態による横押し型プッシュスイッチの平面図である。
【図２】本発明の一実施の形態による横押し型プッシュスイッチの動作前の状態を示す断面図である。
【図３】本発明の一実施の形態による横押し型プッシュスイッチの組み立て図である。
【図４】組み立て状態のガイド体と押し子の平面図、（Ｂ）は（Ａ）のＡ−Ａ線断面図である。
【図５】（Ａ）は組み立て状態の押しボタンとガイド体と押し子の平面図、（Ｂ）は（Ａ）の底面図、（Ｃ）は（Ａ）のＡ−Ａ線断面図である。
【図６】本発明の一実施の形態による横押し型プッシュスイッチの１段目のスイッチ動作後の状態を示す断面図である。
【図７】本発明の一実施の形態による横押し型プッシュスイッチの２段目のスイッチ動作後の状態を示す断面図である。
【符号の説明】
【００５４】
１  横押し型プッシュスイッチ
６  第１ドーム状金属板（第１可動接点）
７  第２ドーム状金属板（第２可動接点）
１０  押しボタン
１０ｂ  操作部
１１  傾斜部
１２  ヒンジ部
１３  押圧部
１４  押し子
【図１】
2008059962.tif 000003
【図２】
2008059962.tif 000004
【図３】
2008059962.tif 000005
【図４】
2008059962.tif 000006
【図５】
2008059962.tif 000007
【図６】
2008059962.tif 000008
【図７】
2008059962.tif 000009